(57)【要約】【課題】より安全性の高い浴室換気乾燥暖房機を提供する。【解決手段】金属ケース３に覆われた本体部２がネジ８によって一部が開口した開口部９を有する天井パネル７に固定される。ネジ８には所定の温度以上になるときに変形する締結ナット１２が設けられる。締結ナット１２は、外部からの熱で所定の温度以上になると、当該締結ナット１２が溶融してネジ８によって天井パネル７に固定された本体部２を天井パネル７から分離させる。これにより、万一の火災時に本体部２自体に延焼してしまうことを回避することができる。【選択図】図１
2010145039.tif 000002
【特許請求の範囲】
【請求項１】
一部が開口した設置場所に設置されて金属ケースに覆われた本体部と、
前記本体部を前記設置場所に固定する固定手段と、
前記固定手段に設けられ、所定の温度以上になると変形して前記固定手段による前記本体部の固定を解除する分離手段とを備えることを特徴とする設備機器。
【請求項２】
前記分離手段には熱溶融材料が用いられ、
前記熱溶融材料は、
所定の温度以上になると溶融することを特徴とする請求項１に記載の設備機器。
【請求項３】
前記分離手段には形状記憶材料が用いられ、
前記形状記憶材料は、
所定の温度以上になると変形することを特徴とする請求項１に記載の設備機器。
【請求項４】
一部が開口した設置場所に設置される本体部と、
前記本体部を覆う金属部とを備え、
前記金属部は、
前記設置場所に固定される第１の金属部と、
前記本体部を前記設置場所に固定する第２の金属部と、
前記第１の金属部と前記第２の金属部とを固定すると共に、所定の温度以上になると溶融して前記第１の金属部と前記第２の金属部との固定を解除する分離手段とを有することを特徴とする設備機器。
【請求項５】
一部が開口した設置場所に設置されて金属ケースに覆われ、被固定部を有する本体部と、
前記被固定部を介して前記本体部を前記設置場所に固定する固定手段と、
前記本体部に設けられ、前記本体部及び／又は前記本体部周辺が所定の温度以上になると熱感知信号を出力する熱感知手段と、
前記熱感知手段によって出力された熱感知信号を受信し、熱源を有する分離手段とを備え、
前記分離手段は、
前記熱感知信号を受信すると前記熱源が加熱して、前記本体部の前記被固定部を溶融して前記固定手段による前記本体部の固定を解除することを特徴とする設備機器。
【請求項６】
一部が開口した設置場所に設置されて金属ケースに覆われた本体部と、
前記本体部に設けられ、前記本体部及び／又は前記本体部周辺が所定の温度以上になると熱感知信号を出力する熱感知手段と、
前記熱感知手段によって出力された熱感知信号を受信する固定／固定解除手段とを備え、
前記固定／固定解除手段は、
前記熱感知手段から前記熱感知信号が出力されない場合、前記本体部を前記設置場所に固定し、前記熱感知手段から前記熱感知信号が出力される場合、前記熱感知信号を受信して前記設置場所に固定した前記本体部の固定を解除することを特徴とする設備機器。
【発明の詳細な説明】
【技術分野】
【０００１】
本発明は、浴室の天井に設置される浴室換気乾燥暖房機等の設備機器に関するものである。
【背景技術】
【０００２】
近年、消費生活用製品安全法が改正され、当該消費生活用製品安全法に係る製品に対して安全性の意識が高まっている。当該製品を製造・販売するメーカーはより一層安全性を持った製品の開発を行っている。
【０００３】
その製品の中で、浴室の天井に設置される浴室換気乾燥暖房機においても安全性を高めた製品が開発されている。安全策として、例えば、装置本体を金属ケースで覆うこと等が挙げられる（特許文献１参照）。
【０００４】
【特許文献１】特開２００４−１６２９５０号公報（第８図）
【発明の開示】
【発明が解決しようとする課題】
【０００５】
特許文献１に記載の多室用換気装置は、装置本体が金属ケースで覆われているので外部からの熱を遮断できる。そのため、火災時に当該装置本体まで火が及ぶことを阻止できる。しかしながら、更なる安全性を確保する必要がある。
【０００６】
そこで本発明は、装置本体に延焼してしまうことを確実に回避できる安全性の高い設備機器を提供することを目的とする。
【課題を解決するための手段】
【０００７】
上述した課題を解決するために、本発明に係る設備機器は、一部が開口した設置場所に設置されて金属ケースに覆われた本体部と、本体部を設置場所に固定する固定手段と、固定手段に設けられ、所定の温度以上になると変形して固定手段による本体部の固定を解除する分離手段とを備えることを特徴とするものである。
【０００８】
本発明に係る設備機器では、外部からの熱で所定の温度以上になると分離手段が変形して固定手段による本体部の固定を解除することで、本体部が所定の温度に達する前に当該本体部を設置場所から分離する。
【０００９】
また、本発明に係る設備機器は、一部が開口した設置場所に設置される本体部と、本体部を覆う金属部とを備え、金属部は、設置場所に固定される第１の金属部と、本体部を設置場所に固定する第２の金属部と、第１の金属部と第２の金属部とを固定すると共に、所定の温度以上になると溶融して第１の金属部と第２の金属部との固定を解除する分離手段とを有することを特徴とするものである。
【００１０】
本発明に係る設備機器では、第１の金属部が設置場所に固定され、第２の金属部が本体部を設置場所に固定する。分離手段は、第１の金属部と第２の金属部とを固定すると共に、所定の温度以上になると当該分離手段自身が溶融して第１の金属部と第２の金属部との固定を解除することで、本体部が所定の温度に達する前に当該本体部を設置場所から分離する。
【００１１】
また、本発明に係る設備機器は、一部が開口した設置場所に設置されて金属ケースに覆われ、被固定部を有する本体部と、被固定部を介して本体部を設置場所に固定する固定手段と、本体部に設けられ、本体部及び／又は本体部周辺が所定の温度以上になると熱感知信号を出力する熱感知手段と、熱感知手段によって出力された熱感知信号を受信し、熱源を有する分離手段とを備え、分離手段は、熱感知信号を受信すると熱源が加熱して、本体部の被固定部を溶融して固定手段による本体部の固定を解除することを特徴とするものである。
【００１２】
本発明に係る設備機器では、分離手段は、熱感知手段によって出力された熱感知信号を受信すると、当該分離手段が有する熱源が加熱して本体部の被固定部を溶融して固定手段による本体部の固定を解除することで、本体部が所定の温度に達する前に当該本体部を設置場所から分離する。
【００１３】
更に、本発明に係る設備機器は、一部が開口した設置場所に設置されて金属ケースに覆われた本体部と、本体部に設けられ、本体部及び／又は本体部周辺が所定の温度以上になると熱感知信号を出力する熱感知手段と、熱感知手段によって出力された熱感知信号を受信する固定／固定解除手段とを備え、固定／固定解除手段は、熱感知手段から熱感知信号が出力されない場合、本体部を設置場所に固定し、熱感知手段から熱感知信号が出力される場合、熱感知信号を受信して設置場所に固定した本体部の固定を解除することを特徴とするものである。
【００１４】
本発明に係る設備機器では、固定／固定解除手段は、熱感知手段から熱感知信号が出力されない場合、本体部を設置場所に固定し、熱感知手段から熱感知信号が出力される場合、熱感知信号を受信して設置場所に固定した本体部の固定を解除することで、本体部が所定の温度に達する前に当該本体部を設置場所から分離する。
【発明の効果】
【００１５】
本発明に係る設備機器によれば、外部からの熱で本体部が所定の温度に達する前に本体部を設置場所から分離するので、本体部自体に延焼してしまうことを回避することができる。これにより、安全性の高い設備機器を提供することができる。
【発明を実施するための最良の形態】
【００１６】
以下、図面を参照して、本発明に係る設備機器の一例として浴室換気乾燥暖房機について説明する。
【００１７】
＜第１の実施の形態＞  
［浴室換気乾燥暖房機１の構成例］  
図１は、第１の実施の形態に係る浴室換気乾燥暖房機１の構成例を示す断面図である。本実施の形態に係る浴室換気乾燥暖房機１は、金属ケース３に覆われた本体部２が固定手段の一例であるネジ８と分離手段の一例である締結ナット１２とによって天井パネル７に固定され、外部からの熱で所定の温度以上になるときに締結ナット１２が変形して、ネジ８等による本体部２の固定を解除することで、本体部が所定の温度に達する前に当該本体部２を天井パネル７から分離するようにしたものである。
【００１８】
図１に示すように、本体部２は、当該本体部２を覆う金属ケース３、ファンモータ２０Ｍに回転駆動されるファン２０Ｆ、ヒータ２０Ｈ及びファンケースを構成する本体シャーシ２１を備える。
【００１９】
本体部２には、ファン２０Ｆの下側に吸込口２２ａが設けられ、ファン２０Ｆによる空気の吹出方向に沿った当該本体部２の下側に吹出口２２ｂが設けられ、ファン２０Ｆによる空気の排気方向に沿った当該本体部２の側面に排気口２２ｃが設けられる。
【００２０】
本体部２は、吹出口２２ｂと排気口２２ｃとの間で風路を切り替える風路切替ダンパ２３を備える。風路切替ダンパ２３は、当該風路切替ダンパ２３に接続されたダンパモータ２６によって吹出口２２ｂと排気口２２ｃの開閉動作を行い風路を切り替える。浴室換気乾燥暖房機１は、風路切替ダンパ２３を図１の実線で示すように排気口２２ｃを閉じる位置（循環位置）にすると、吹出口２２ｂが開いて吸込口２２ａから吹出口２２ｂへ連通した風路（循環風路）が形成される。また、浴室換気乾燥暖房機１は、風路切替ダンパ２３を図１の一点鎖線で示すように吹出口２２ｂを閉じる位置（換気位置）にすると、排気口２２ｃが開いて吸込口２２ａから排気口２２ｃへ連通した風路（換気風路）が形成される。更に、浴室換気乾燥暖房機１は、風路切替ダンパ２３を図１の二点鎖線で示すように循環位置と換気位置との間の位置（循環換気位置）にすると、吹出口２２ｂと排気口２２ｃの双方が開いて循環風路と換気風路とが形成される。
【００２１】
吹出口２２ｂにはヒータ２０Ｈが設けられる。ヒータ２０Ｈには、例えば、周囲の温度によって発熱量を制御するＰＴＣ（Positive Temperature Coefficient）ヒータが用いられる。風路切替ダンパ２３を循環位置又は循環換気位置にして、ファンモータ２０Ｍを駆動してファン２０Ｆを回転させると共に、ヒータ２０Ｈに通電して当該ヒータ２０Ｈを加熱することで吹出口２２ｂを通過する空気が温められて吹出口２２ｂから温かい温風が吹き出されようになされる。
【００２２】
本体シャーシ２１は熱溶融材料で形成されている。その熱溶融材料には、ＡＢＳ樹脂、ＰＥＴ樹脂、ＡＳ樹脂等の樹脂材料や、低融点の金属材料等が用いられる。本体シャーシ２１は、下端の周縁から外側に突出するフランジ部２４を備える。
【００２３】
フランジ部２４には、ネジ８が通る孔が設けられる。この孔と天井パネル７に設けられる孔とを重ね合わせてネジ８を通す。ネジ８の先端部を天井裏から締結ナット１２で締結することで、本体部２が天井パネル７に固定される。ネジ８が通る孔が設けられている箇所を被固定部とする。
【００２４】
締結ナット１２は、本体シャーシ２１と同様に熱溶融材料で形成される。その熱溶融材料には、ＡＢＳ樹脂、ＰＥＴ樹脂、ＡＳ樹脂等の樹脂材料や、低融点の金属材料等が用いられる。締結ナット１２は、ネジ８の先端部全体を包み込むように形成され、ネジ８に締結される。締結ナット１２は、外部から所定の温度（締結ナット１２の融点）以上の熱が与えられると、当該締結ナット１２自体が溶融して、ネジ８への締結力を解除して本体部２を天井パネル７から分離させる。
【００２５】
本体シャーシ２１は、フランジ部２４の上面にアルミテープ１１を備える。アルミテープ１１は金属箔による断熱部材の一例で、本例では、非鉄金属であるアルミニウム箔の裏面に粘着材を塗布して構成される。アルミテープ１１は、浴室換気乾燥暖房機１を天井パネル７に形成された開口部９に取り付けたときに、開口部９に露出するフランジ部２４の上面の内周側に沿った所定の範囲に、全周にわたって貼り付けられる。
【００２６】
ネジ８は、熱伝導性が良好な金属材料を用いることが望ましく、例えば、鉄、銅、黄銅等が挙げられる。また、固定手段は、ネジに限定されるものではなく、リベットやボルト等を用いてもよい。
【００２７】
本体シャーシ２１には金属ケース３が設けられる。金属ケース３は、鉄や銅、又はそれらの合金等で構成された金属の板材で形成され、本体部２の上部及び側部を覆う形状を成している。また、金属ケース３は、排気口２２ｃの大きさに合わせて開口される。
【００２８】
浴室換気乾燥暖房機１は、金属ケース３の開口部に排気口２２ｃとつながるダクトジョイント４が取り付けられる。ダクトジョイント４は、金属ケース３と同様に鉄や銅、又はそれらの合金等で構成された金属の板材で形成される。
【００２９】
浴室換気乾燥暖房機１は、本体部２の下部にフロントパネル５が取り付けられる。フロントパネル５は、吸込口２２ａの位置に合わせて吸込口グリル５０ａが設けられ、吹出口２２ｂの位置に合わせて吹出口グリル５０ｂが設けられる。
【００３０】
［浴室換気乾燥暖房機１の設置例］  
次に、浴室換気乾燥暖房機１の設置例について説明する。図２は、浴室換気乾燥暖房機１の要部構成例を示す断面図である。図２に示すように、浴室換気乾燥暖房機１は、天井パネル７の一部が開口した開口部９から、金属ケース３で覆われた本体部２が天井裏に入れられる。浴室換気乾燥暖房機１は、本体シャーシ２１のフランジ部２４の孔部に挿入されたネジ８を、フランジ部２４と締結ナット１２との間に天井パネル７を挟んだ状態で締結することで固定される。天井パネル７に固定された浴室換気乾燥暖房機１は、本体部２の下部にフロントパネル５が取り付けられる。
【００３１】
天井パネル７に取り付けられるフランジ部２４の上面には、アルミテープ１１が貼り付けられているが、アルミテープ１１は厚さが薄いので、天井パネル７に対する本体部２の取り付け高さに影響を及ぼすことはない。
【００３２】
［浴室換気乾燥暖房機１の動作例］  
次に、浴室換気乾燥暖房機１の動作例について説明する。浴室換気乾燥暖房機１は、ファンモータ２０Ｍが駆動してファン２０Ｆが回転駆動されると、フロントパネル５の吸込口グリル５０ａを介して吸込口２２ａから浴室内の空気を吸い込む。
【００３３】
風路切替ダンパ２３が図１の実線で示す循環位置にある場合、吸込口２２ａから吹出口２２ｂへの循環風路が形成されるので、吸込口２２ａから吸い込まれた空気は、循環風路を通り吹出口２２ｂからフロントパネル５の吹出口グリル５０ｂを介して浴室内に吹き出され、かつ、ヒータ２０Ｈが通電されて循環風路を通る空気が温められて温風が吹出口グリル５０ｂから吹き出される（暖房モード）。
【００３４】
風路切替ダンパ２３が図１の一点鎖線で示す換気位置にある場合、吸込口２２ａから排気口２２ｃへ換気通路が形成されるので、吸込口２２ａから吸い込まれた空気は、換気風路を通り排気口２２ｃから屋外へ排気される（換気モード）。
【００３５】
風路切替ダンパ２３が図１の二点鎖線で示す循環換気位置にある場合、吸込口２２ａから吹出口２２ｂへの循環風路と吸込口２２ａから排気口２２ｃへ換気通路とが形成される。そのため、吸込口２２ａから吸い込まれた空気の一部は、循環風路を通り吹出口２２ｂからフロントパネル５の吹出口グリル５０ｂを介して浴室内に吹き出され、吸込口２２ａから吸い込まれた空気の他部は、換気風路を通り排気口２２ｃから屋外へ排気される（涼風モード）。
【００３６】
また、ヒータ２０Ｈが通電される場合、循環風路を通る空気が温められて温風が吹出口グリル５０ｂから吹き出されると共に、浴室内の湯気や湿気が換気風路を通り排気される（乾燥モード）。
【００３７】
上述の風路の切替えは一例であって、風路切替ダンパ２３に限定されるものではなく、換気ファンと循環ファンとを別々に備え、それらの組み合わせにより切替る構成でもよい。
【００３８】
［浴室換気乾燥暖房機１の作用効果例］  
図２に示すように、浴室換気乾燥暖房機１は、本体部２が金属ケース３に覆われる。これにより、本体部２を構成する本体シャーシ２１の熱溶融部分は、天井パネルの開口部９から天井裏に直接露出しない。
【００３９】
フランジ部２４の上面で、天井パネル７の開口部９に露出する部分には、全周にわたってアルミテープ１１が貼り付けられており、天井パネル７の開口部９にフランジ部２４の熱溶融部分は直接露出しない。
【００４０】
本体シャーシ２１を覆う金属ケース３の下端部とフランジ部２４の上面のアルミテープ１１の間には、金属ケース３の内部の本体シャーシ２１が、外部からの熱に直接晒されるような隙間が形成されない。これにより、本体部２を構成する本体シャーシ２１の熱溶融部分は、天井パネル７の開口部９から天井裏に直接露出しない。
【００４１】
建物で万一火災が発生した場合、火が浴室の天井パネル７上部の天井裏に延焼しても、浴室換気乾燥暖房機１は、本体部２が金属ケース３に覆われているので、熱溶融材料で構成される本体シャーシ２１等が発火することを防止できる。
【００４２】
また、天井パネル７に取り付けられるフランジ部２４の上面で、天井パネル７の開口部９に露出する部分には、全周にわたってアルミテープ１１が貼り付けられているので、熱溶融材料で構成される本体シャーシ２１のフランジ部２４からの発火が防止される。
【００４３】
更に、本体シャーシ２１を覆う金属ケース３の下端部とフランジ部２４の上面のアルミテープ１１の間には、金属ケース３の内部の本体シャーシ２１が、外部からの熱に直接晒されるような隙間が形成されないので、熱溶融材料で構成される本体シャーシ２１の発火が防止される。
【００４４】
図３は、浴室換気乾燥暖房機１の延焼防止効果例を示す動作説明図である。本体部２が天井パネル７に固定されている状態（図３（Ａ）参照）を前提として、浴室換気乾燥暖房機１が外部からの火によって天井裏から加熱されると、ネジ８の先端部に設けられる締結ナット１２に所定の温度以上の熱が伝わる。図３（Ｂ）に示すように、その熱で締結ナット１２が徐々に軟化して変形することで、本体部２が徐々に下方へ下がっていく。更に締結ナット１２に熱が加えられ続けると、図３（Ｃ）に示すように、締結ナット１２は溶融してネジ８による本体部２の固定を解除することで、本体部２が所定の温度に達する前に当該本体部２を天井パネル７から分離して落下させる。
【００４５】
これにより、外部から所定の温度以上の熱が浴室換気乾燥暖房機１に加わっても、締結ナット１２が溶融してネジ８による本体部２の固定を解除することで、本体部２を所定の温度に達する前に天井パネル７から分離して落下させるので、長時間の火災であっても本体部２自体に延焼してしまうことを回避し、本体部２の自己発火を防止できる。
【００４６】
このように、第１の実施の形態に係る浴室換気乾燥暖房機１によれば、外部から所定の温度以上の熱が当該浴室換気乾燥暖房機１に加わらない場合、本体部２は天井パネル７に確実に固定される。外部から所定の温度以上の熱が当該浴室換気乾燥暖房機１に加わった場合、その熱で本体部２が所定の温度に達する前に、分離手段である締結ナット１２が本体部２を天井パネル７から分離させる。この結果、本体部２自体に延焼してしまうことを回避することができる。
【００４７】
＜第２の実施の形態＞  
本実施の形態では、分離手段として形状記憶材料を用いた浴室換気乾燥暖房機１Ａについて説明する。前述の実施の形態と同じ名称及び符号のものは同じ機能を有するので、その説明を省略する。
【００４８】
図４は、第２の実施の形態に係る浴室換気乾燥暖房機１Ａの延焼防止効果例を示す動作説明図である。図４（Ａ）に示すように、浴室換気乾燥暖房機１Ａは、図２で示した締結ナット１２を形状記憶材料１２Ａに置き換えたものである。浴室換気乾燥暖房機１Ａは、本体シャーシ２１のフランジ部２４の孔部に挿入されたネジ８を、フランジ部２４と形状記憶材料１２Ａとの間に天井パネル７を挟んだ状態で締結することで固定される。
【００４９】
形状記憶材料１２Ａは、分離手段の一例であり、例えば、ニッケル−チタン合金や鉄−マンガン−ケイ素合金等で構成されるバイメタルであって、所定の温度以上の熱が加わると変形するものである。形状記憶材料１２Ａは、ネジ８の先端部を囲うようにドーナッツ状に形成される。形状記憶材料１２Ａ自体の温度が、所定の温度より低い場合には、ネジ８を締め付け、所定の温度以上の場合には、ネジ８の締め付けが解除される。
【００５０】
外部から所定の温度以上の熱が加わらなければ、本体部２は天井パネル７に確実に固定される。本体部２が天井パネル７に固定されている状態を前提として、浴室換気乾燥暖房機１Ａが外部からの火によって天井裏から加熱されると、ネジ８の先端部に設けられる形状記憶材料１２Ａに所定の温度以上の熱が伝わる。図４（Ｂ）に示すように、その熱で形状記憶材料１２Ａがネジ８の中心方向と反対側に広がるように変形する。図４（Ｃ）に示すように、形状記憶材料１２Ａが変形したことでネジ８への締結力が解除されて、本体部２が所定の温度に達する前に天井パネル７から分離して落下する。
【００５１】
これにより、外部から所定の温度以上の熱が浴室換気乾燥暖房機１Ａに加わっても、形状記憶材料１２Ａが変形してネジ８による本体部２の固定を解除することで、本体部２を天井パネル７から落下させるので、長時間の火災であっても本体部２自体に延焼してしまうことを回避し、本体部２の自己発火を防止できる。
【００５２】
このように、第２の実施の形態に係る浴室換気乾燥暖房機１Ａによれば、外部から所定の温度以上の熱が当該浴室換気乾燥暖房機１Ａに加わらない場合、本体部２は天井パネル７に確実に固定される。外部から所定の温度以上の熱が当該浴室換気乾燥暖房機１Ａに加わった場合、その熱で本体部２が所定の温度に達する前に、分離手段である形状記憶材料１２Ａが本体部２を天井パネル７から分離させる。この結果、本体部２自体に延焼してしまうことを回避することができる。
【００５３】
＜第３の実施の形態＞  
本実施の形態では、分離手段として形状記憶材料のワッシャを使用した浴室換気乾燥暖房機１Ｂ，１Ｃについて説明する。前述の実施の形態と同じ名称及び符号のものは同じ機能を有するので、その説明を省略する。
【００５４】
図５は、第３の実施の形態に係る浴室換気乾燥暖房機１Ｂの延焼防止効果例を示す動作説明図である。また、図６は、浴室換気乾燥暖房機１Ｃの延焼防止効果例を示す動作説明図である。図５（Ａ）及び図６（Ａ）に示すように、浴室換気乾燥暖房機１Ｂ，１Ｃは、本体シャーシ２１のフランジ部２４に金属カラー１９及び分離手段の一例である形状記憶材料のワッシャ（以下、ワッシャ１２Ｂ，１２Ｃという）を備える。
【００５５】
金属カラー１９は固定手段の一例であり、本体部２と分離可能なものである。金属カラー１９は、フランジ部２４に形成された円筒形状の孔部に圧入される。金属カラー１９の高さは、金属カラー１９が圧入される位置のフランジ部２４の厚みと略同等である。
【００５６】
ワッシャ１２Ｂ，１２Ｃは、ネジ８及び金属カラー１９に当接し、本体部２を固定する。また、ワッシャ１２Ｂ，１２Ｃは、形状記憶材料であって、例えば、ニッケル−チタン合金や鉄−マンガン−ケイ素合金等で構成されるものであり、所定の温度以上の熱が加わると変形するものである。
【００５７】
浴室換気乾燥暖房機１Ｂ，１Ｃは、本体シャーシ２１のフランジ部２４に圧入された金属カラー１９の孔部にワッシャ１２Ｂ，１２Ｃを介してネジ８を挿入して、天井パネル７に設置された取付金具１０に締結することで固定される。
【００５８】
ワッシャ１２Ｂ自体の温度が、所定の温度より低い場合には、ネジ８を締め付け、所定の温度以上の場合には、ワッシャ１２Ｂの径が大きくなるように変形してネジ８の締め付けが解除される。ワッシャ１２Ｃ自体の温度が、所定の温度より低い場合には、ネジ８を締め付け、所定の温度以上の場合には、ワッシャ１２Ｃが折れ曲がるように変形する。
【００５９】
外部から所定の温度以上の熱が加わらなければ、本体部２は天井パネル７に確実に固定される。本体部２が天井パネル７に固定されている状態を前提として、浴室換気乾燥暖房機１Ｂが外部からの火によって天井裏から加熱されると、天井裏に突出しているネジ８を介して当該ネジ８の根元部に設けられるワッシャ１２Ｂに所定の温度以上の熱が伝わる。図５（Ｂ）に示すように、その熱でワッシャ１２Ｂの径が大きくなるように変形する。図５（Ｃ）に示すように、ワッシャ１２Ｂが変形したことで、ネジ８への締め付けが解除され、フランジ部２４に圧入された金属カラー１９と本体部２とが分離して、天井パネル７から本体部２が分離して落下する。
【００６０】
浴室換気乾燥暖房機１Ｃが外部からの火によって天井裏から加熱されると、天井裏に突出しているネジ８を介して当該ネジ８の根元部に設けられるワッシャ１２Ｃに所定の温度以上の熱が伝わる。図６（Ｂ）に示すように、その熱でワッシャ１２Ｃが下方に折れ曲がるように変形する。図６（Ｃ）に示すように、ワッシャ１２Ｂが変形したことで、フランジ部２４に圧入された金属カラー１９と本体部２とが分離して、天井パネル７から本体部２が分離して落下する。
【００６１】
これにより、外部から所定の温度以上の熱が浴室換気乾燥暖房機１Ｂ，１Ｃに加わっても、ワッシャ１２Ｂ，１２Ｃが変形して本体部２を天井パネル７から落下させるので、長時間の火災であっても本体部２自体に延焼してしまうことを回避し、本体部２の自己発火を防止できる。
【００６２】
このように、第３の実施の形態に係る浴室換気乾燥暖房機１Ｂ，１Ｃによれば、外部から所定の温度以上の熱が当該浴室換気乾燥暖房機１Ｂ，１Ｃに加わらない場合、本体部２は天井パネル７に確実に固定される。外部から所定の温度以上の熱が当該浴室換気乾燥暖房機１Ｂ，１Ｃに加わった場合、その熱で本体部２が所定の温度に達する前に、分離手段であるワッシャ１２Ｂ，１２Ｃが本体部２を天井パネル７から分離させる。この結果、本体部２自体に延焼してしまうことを回避することができる。
【００６３】
＜第４の実施の形態＞  
本実施の形態では、分離手段として低融点金属材料を使用した浴室換気乾燥暖房機１Ｄについて説明する。前述の実施の形態と同じ名称及び符号のものは同じ機能を有するので、その説明を省略する。
【００６４】
図７は、第４の実施の形態に係る浴室換気乾燥暖房機１Ｄの延焼防止効果例を示す動作説明図である。図７（Ａ）に示すように、浴室換気乾燥暖房機１Ｄは、第１の金属部の一例である第１の金属ケース（以下、金属ケース３ａという）と、第２の金属部の一例である第２の金属ケース（以下、金属ケース３ｂという）と、金属ケース３ａと金属ケース３ｂとを接続させる分離手段の一例である低融点金属材料１２Ｄとを備える。
【００６５】
金属ケース３ａはフランジを有し、そのフランジの孔部にネジ８ａを挿入して当該金属ケース３ａが天井パネル７に固定される。金属ケース３ｂは本体部２の上部に設けられる。金属ケース３ｂには孔部が開けられ、その孔部にネジ８ｂを挿入して本体部２を固定する。
【００６６】
低融点金属材料１２Ｄは、例えば、錫−鉛合金や、錫−銀系、錫−ビスマス系合金等の金属であり、融点が１８０℃〜２５０℃程度である。低融点金属材料１２Ｄは、金属ケース３ａと金属ケース３ｂとを接続させる。低融点金属材料１２Ｄは、外部から所定の温度（低融点金属材料１２Ｄの融点）以上の熱が加わったときに、当該低融点金属材料１２Ｄが溶融して金属ケース３ａと金属ケース３ｂとを分離するようになされる。
【００６７】
浴室換気乾燥暖房機１Ｄは、金属ケース３ａのフランジの孔部に挿入されたネジ８ａを、フランジと取付金具１０との間に天井パネル７を挟んだ状態で締結することで固定される。また、浴室換気乾燥暖房機１Ｄは、金属ケース３ｂの孔部に挿入されたネジ８ｂを、本体部２に締結させることで固定される。
【００６８】
外部から所定の温度以上の熱が加わらなければ、本体部２は天井パネル７に確実に固定される。本体部２が天井パネル７に固定されている状態を前提として、浴室換気乾燥暖房機１Ｄが外部からの火によって天井裏から加熱されると、金属ケース３ａと金属ケース３ｂとを接続する低融点金属材料１２Ｄに所定の温度以上の熱が伝わる。図７（Ｂ）に示すように、その熱で低融点金属材料１２Ｄが徐々に軟化して変形し、本体部２が徐々に下方へ下がっていく。更に低融点金属材料１２Ｄに熱が与えられ続けると、図７（Ｃ）に示すように、低融点金属材料１２Ｄは溶融し、金属ケース３ａと金属ケース３ｂとが分離して、天井パネル７から本体部２が分離して落下する。
【００６９】
これにより、外部から所定の温度以上の熱が浴室換気乾燥暖房機１Ｄに加わっても、低融点金属材料１２Ｄが溶融して本体部２を天井パネル７から落下させるので、長時間の火災であっても本体部２自体に延焼してしまうことを回避し、本体部２の自己発火を防止できる。
【００７０】
このように、第４の実施の形態に係る浴室換気乾燥暖房機１Ｄによれば、外部から所定の温度以上の熱が当該浴室換気乾燥暖房機１Ｄに加わらない場合、本体部２は天井パネル７に確実に固定される。外部から所定の温度以上の熱が当該浴室換気乾燥暖房機１Ｄに加わった場合、その熱で本体部２が所定の温度に達する前に、分離手段である低融点金属材料１２Ｄが本体部２を天井パネル７から分離させる。この結果、本体部２自体に延焼してしまうことを回避することができる。
【００７１】
＜第５の実施の形態＞  
本実施の形態では、固定手段としてアンカーボルトを用いて、分離手段として樹脂製の固定部材を用いた浴室換気乾燥暖房機１Ｅについて説明する。前述の実施の形態と同じ名称及び符号のものは同じ機能を有するので、その説明を省略する。
【００７２】
図８は、第５の実施の形態に係る浴室換気乾燥暖房機１Ｅの延焼防止効果例を示す動作説明図である。図８（Ａ）に示すように、浴室換気乾燥暖房機１Ｅは、固定手段の一例であるアンカーボルト１３と、アンカーボルト１３と当該浴室換気乾燥暖房機１Ｅとを固定する分離手段の一例である樹脂製の固定部材（以下、固定部材１２Ｅという）とを備える。
【００７３】
アンカーボルト１３は、屋根裏３０に接続されて固定部材１２Ｅを介して浴室換気乾燥暖房機１Ｅを固定する。固定部材１２Ｅは、例えば、ＡＢＳ樹脂などの強化プラスチックで形成される。固定部材１２Ｅは、アンカーボルト１３と接続されており、浴室換気乾燥暖房機１Ｅをリベット１８で固定する。
【００７４】
外部から所定の温度以上の熱が加わらなければ、浴室換気乾燥暖房機１Ｅは屋根裏３０に確実に固定される。浴室換気乾燥暖房機１Ｅが屋根裏３０に固定されている状態を前提として、浴室換気乾燥暖房機１Ｅが外部からの火によって屋根裏３０から加熱されると、固定部材１２Ｅに所定の温度以上の熱が伝わる。図８（Ｂ）に示すように、その熱で固定部材１２Ｅが徐々に軟化して、当該固定部材１２Ｅが変形することで、浴室換気乾燥暖房機１Ｅが徐々に下方へ下がっていく。更に固定部材１２Ｅに熱が与えられ続けると、図８（Ｃ）に示すように、固定部材１２Ｅは溶融し、浴室換気乾燥暖房機１Ｅが落下するようになされる。その落下の際に、ダクトジョイント４は、天井パネル７に衝突して浴室換気乾燥暖房機１Ｅから分離する。
【００７５】
これにより、外部から所定の温度以上の熱が浴室換気乾燥暖房機１Ｅに加わっても、固定部材１２Ｅが溶融してアンカーボルト１３による本体部２の固定を解除することで、浴室換気乾燥暖房機１Ｅを屋根裏３０から落下させるので、長時間の火災であっても浴室換気乾燥暖房機１Ｅ自体に延焼してしまうことを回避し、本体部２の自己発火を防止できる。
【００７６】
このように、第５の実施の形態に係る浴室換気乾燥暖房機１Ｅによれば、外部から所定の温度以上の熱が当該浴室換気乾燥暖房機１Ｅに加わらない場合、浴室換気乾燥暖房機１Ｅはアンカーボルト１３及び固定部材１２Ｅによって屋根裏３０に確実に固定される。外部から所定の温度以上の熱が当該浴室換気乾燥暖房機１Ｅに加わった場合その熱で本体部２が所定の温度に達する前に、分離手段である固定部材１２Ｅが浴室換気乾燥暖房機１Ｅを屋根裏３０から分離させる。この結果、本体部２自体に延焼してしまうことを回避することができる。
【００７７】
＜第６の実施の形態＞  
本実施の形態では、固定手段であるアンカーボルトに分離手段である低融点金属材料を設けた浴室換気乾燥暖房機１Ｆについて説明する。前述の実施の形態と同じ名称及び符号のものは同じ機能を有するので、その説明を省略する。
【００７８】
図９は、第６の実施の形態に係る浴室換気乾燥暖房機１Ｆの延焼防止効果例を示す動作説明図である。図９（Ａ）に示すように、浴室換気乾燥暖房機１Ｆは、固定手段の一例である第１のアンカーボルト（以下、アンカーボルト１３ａという）と、固定手段の一例である第２のアンカーボルト（以下、アンカーボルト１３ｂという）と、アンカーボルト１３ａとアンカーボルト１３ｂとの間に設けられる分離手段の一例である低融点金属材料１２Ｆとを備える。
【００７９】
アンカーボルト１３ａは、屋根裏３０に接続される。アンカーボルト１３ｂは、浴室換気乾燥暖房機１Ｆに接続される。低融点金属材料１２Ｆはアンカーボルト１３ａとアンカーボルト１３ｂと接続させる。つまり、浴室換気乾燥暖房機１Ｆは、アンカーボルト１３ｂ、低融点金属材料１２Ｆ及びアンカーボルト１３ａを介して屋根裏３０に固定される。低融点金属材料１２Ｆは、例えば、錫−鉛合金や、錫−銀系、錫−ビスマス系合金等の金属であり、融点が１８０℃〜２５０℃程度である。
【００８０】
外部から所定の温度（低融点金属材料１２Ｆの融点）以上の熱が加わらなければ、浴室換気乾燥暖房機１Ｆは屋根裏３０に確実に固定される。浴室換気乾燥暖房機１Ｆが屋根裏３０に固定されている状態を前提として、浴室換気乾燥暖房機１Ｆが外部からの火によって屋根裏３０から加熱されると、低融点金属材料１２Ｆに所定の温度以上の熱が伝わる。
【００８１】
図９（Ｂ）に示すように、その熱で低融点金属材料１２Ｆが徐々に軟化して、当該低融点金属材料１２Ｆが変形し、浴室換気乾燥暖房機１Ｆが徐々に下方へ下がっていく。更に低融点金属材料１２Ｆに熱が与えられ続けると、図９（Ｃ）に示すように、低融点金属材料１２Ｆは溶融してアンカーボルト１３ａ，１３ｂによる浴室換気乾燥暖房機１Ｆの固定を解除することで、浴室換気乾燥暖房機１Ｆが落下する。その落下の際に、ダクトジョイント４は、天井パネル７に衝突して浴室換気乾燥暖房機１Ｅから分離する。
【００８２】
これにより、外部から所定の温度以上の熱が浴室換気乾燥暖房機１Ｅに加わっても、低融点金属材料１２Ｆが溶融してアンカーボルト１３ａ，１３ｂによる浴室換気乾燥暖房機１Ｆの固定を解除することで、浴室換気乾燥暖房機１Ｆを屋根裏３０から落下させるので、長時間の火災であっても浴室換気乾燥暖房機１Ｆ自体に延焼してしまうことを回避し、本体部２の自己発火を防止できる。
【００８３】
本実施の形態では、アンカーボルト１３ａ，１３ｂの間に低融点金属材料１２Ｆを設けて浴室換気乾燥暖房機１Ｆを固定したが、適当な長さを有するアンカーボルトの一端及び又は他端に低融点金属材料１２Ｆを設けて浴室換気乾燥暖房機１Ｆを固定してもよい。
【００８４】
このように、第６の実施の形態に係る浴室換気乾燥暖房機１Ｆによれば、外部から所定の温度以上の熱が当該浴室換気乾燥暖房機１Ｆに加わらない場合、浴室換気乾燥暖房機１Ｆはアンカーボルト１３ａ，１３ｂ及び低融点金属材料１２Ｆによって屋根裏３０に確実に固定される。外部から所定の温度以上の熱が当該浴室換気乾燥暖房機１Ｆに加わった場合、その熱で本体部２が所定の温度に達する前に、分離手段である低融点金属材料１２Ｆが浴室換気乾燥暖房機１Ｆを屋根裏３０から分離させる。この結果、本体部２自体に延焼してしまうことを回避することができる。
【００８５】
＜第７の実施の形態＞  
本実施の形態では、熱感知信号を出力する熱感知手段と固定／固定解除手段であるソレノイドとを備えた浴室換気乾燥暖房機１Ｇについて説明する。前述の実施の形態と同じ名称及び符号のものは同じ機能を有するので、その説明を省略する。
【００８６】
図１０は、第７の実施の形態に係る浴室換気乾燥暖房機１Ｇの延焼防止効果例を示す動作説明図である。図１０（Ａ）に示すように、浴室換気乾燥暖房機１Ｇは、熱感知信号を出力する熱感知手段１４と、本体部２を天井パネル７に固定する固定／固定解除手段の一例であるソレノイド１２Ｇとを備える。
【００８７】
熱感知手段１４は、本体シャーシ２１と金属ケース３との間に設けられ、本体部２及び／又は本体部２周辺が所定の温度以上になると熱感知信号を出力する。
【００８８】
ソレノイド１２Ｇは、熱感知手段１４から熱感知信号が出力されない場合、本体部２を天井パネル７に固定し、熱感知手段１４から熱感知信号が出力される場合、その熱感知信号を受信して、当該ソレノイド１２Ｇ自体が移動し天井パネル７に固定した本体部２の固定を解除する。
【００８９】
外部から所定の温度以上の熱が加わらなければ、浴室換気乾燥暖房機１Ｇは天井パネル７に確実に固定される。浴室換気乾燥暖房機１Ｇが天井パネル７に固定されている状態を前提として、浴室換気乾燥暖房機１Ｇが外部からの火によって天井パネル７から加熱されると、熱感知手段１４が熱感知信号をソレノイド１２Ｇに送信する。ソレノイド１２Ｇは、熱感知手段１４から熱感知信号を受信して、図１０（Ｂ）に示すように、浴室換気乾燥暖房機１Ｇから離れる方向に移動して、天井パネル７に固定された本体部２の固定を解除する。図１０（Ｃ）に示すように、ソレノイド１２Ｇが本体部２の固定を解除することで、天井パネル７から浴室換気乾燥暖房機１Ｇが分離して落下する。その落下の際に、ダクトジョイント４は、天井パネル７に衝突して浴室換気乾燥暖房機１Ｇから分離する。
【００９０】
これにより、外部から所定の温度以上の熱が浴室換気乾燥暖房機１Ｇに加わっても、ソレノイド１２Ｇが浴室換気乾燥暖房機１Ｇの固定を解除して浴室換気乾燥暖房機１Ｇを天井パネル７から落下させるので、長時間の火災であっても浴室換気乾燥暖房機１Ｇ自体に延焼してしまうことを回避し、本体部２の自己発火を防止できる。
【００９１】
このように、第７の実施の形態に係る浴室換気乾燥暖房機１Ｇによれば、外部から所定の温度以上の熱が当該浴室換気乾燥暖房機１Ｇに加わらない場合、本体部２は天井パネル７に確実に固定される。外部から所定の温度以上の熱が当該浴室換気乾燥暖房機１Ｇに加わった場合、その熱で本体部２が所定の温度に達する前に、固定／固定解除手段であるソレノイド１２ｇが本体部２を天井パネル７から分離させる。この結果、本体部２自体に延焼してしまうことを回避することができる。
【００９２】
＜第８の実施の形態＞  
本実施の形態では、熱感知信号を出力する熱感知手段と分離手段である電熱線駆動回路及び電熱線とを備えた浴室換気乾燥暖房機１Ｈについて説明する。前述の実施の形態と同じ名称及び符号のものは同じ機能を有するので、その説明を省略する。
【００９３】
図１１は、第８の実施の形態に係る浴室換気乾燥暖房機１Ｈの構成例を示す断面図である。図１１に示すように、浴室換気乾燥暖房機１Ｈは、本体部２及び／又は本体部２周辺が所定の温度以上になると熱感知信号出力する熱感知手段１４と、熱感知信号を受信して電熱線１２Ｈを加熱させる電熱線駆動回路１７と、電熱線駆動回路１７によって加熱される電熱線１２Ｈとを備える。電熱線駆動回路１７と電熱線１２Ｈは、分離手段の一例である。
【００９４】
本体部２のフランジ部２４とネジ８とが接している部分を被固定部とし、被固定部で、ネジ８が本体部を固定する。
【００９５】
電熱線駆動回路１７は、熱感知手段１４から熱感知信号を受信すると電熱線１２Ｈ自体を加熱させる。電熱線１２Ｈはネジ８にその熱を伝える。電熱線１２Ｈは、例えば、ニッケル−クロム系合金や、鉄−クロム−アルミニウム系合金等で構成される。
【００９６】
図１２は、浴室換気乾燥暖房機１Ｈの延焼防止効果例を示す動作説明図である。図１２（Ａ）に示すように、外部から所定の温度以上の熱が加わらなければ、浴室換気乾燥暖房機１Ｈは天井パネル７に確実に固定される。浴室換気乾燥暖房機１Ｈが天井パネル７に固定される状態を前提として、浴室換気乾燥暖房機１Ｈが外部からの火によって天井パネル７から加熱されると、熱感知手段１４が熱感知信号を電熱線駆動回路１７に送信する。電熱線駆動回路１７は、熱感知手段１４から熱感知信号を受信して電熱線１２Ｈを加熱する。電熱線１２Ｈがその加熱した熱をネジ８に伝達させることで、図１２（Ｂ）に示すように、フランジ部２４とネジ８とが接している部分（被固定部）が徐々に軟化し、本体部２が徐々に下方へ下がっていく。更に電熱線１２Ｈからネジ８を介して被固定部に熱が加えられ続けると、図１２（Ｃ）に示すように、被固定部は溶融して、ネジ８による本体部２の固定を解除することで、天井パネル７から本体部２が分離して落下する。
【００９７】
これにより、外部から所定の温度以上の熱が浴室換気乾燥暖房機１Ｈに加わっても、熱感知手段１４が外部からの熱を感知して電熱線１２Ｈを加熱させて、被固定部を溶融してネジ８による本体部２の固定を解除することで、当該本体部２を天井パネル７から落下させるので、長時間の火災であっても本体部２自体に延焼してしまうことを回避し、本体部２の自己発火を防止できる。
【００９８】
このように、第８の実施の形態に係る浴室換気乾燥暖房機１Ｈによれば、外部から所定の温度以上の熱が当該浴室換気乾燥暖房機１Ｈに加わらない場合、本体部２は天井パネル７に確実に固定される。外部から所定の温度以上の熱が当該浴室換気乾燥暖房機１Ｈに加わった場合、熱感知手段１４が外部からの熱を感知して電熱線１２Ｈを加熱させて本体部２が所定の温度に達する前に当該本体部２を天井パネル７から分離させる。この結果、本体部２自体に延焼してしまうことを回避することができる。
【００９９】
＜第９の実施の形態＞  
本実施の形態では、熱感知信号を出力する熱感知手段と延焼を防止する散水装置とを備えた浴室換気乾燥暖房機１Ｉについて説明する。前述の実施の形態と同じ名称及び符号のものは同じ機能を有するので、その説明を省略する。
【０１００】
図１３は、第９の実施の形態に係る浴室換気乾燥暖房機１Ｉの延焼防止効果例を示す説明図である。図１３に示すように、浴室換気乾燥暖房機１Ｉは、本体部２及び／又は本体部２周辺が所定の温度以上になると熱感知信号を出力する熱感知手段１４と、延焼を防止する散水装置１５とを備える。
【０１０１】
散水装置１５は、屋根裏３０に設けられ、熱感知手段１４に接続される。浴室換気乾燥暖房機１Ｉが外部からの火によって天井パネル７から加熱されると、熱感知手段１４が熱感知信号を散水装置１２Ｉに送信する。散水装置１２Ｉは、熱感知手段１４から熱感知信号を受信して浴室換気乾燥暖房機１Ｉに水を噴射する。浴室換気乾燥暖房機１Ｉは散水装置１２Ｉからの散水によって所定の温度以上はならず、本体部２への延焼を防止できる。
【０１０２】
このように、第９の実施の形態に係る浴室換気乾燥暖房機１Ｉによれば、外部から所定の温度以上の熱が当該浴室換気乾燥暖房機１Ｉに加わったときに、熱感知手段１４が外部からの熱を感知して熱感知信号を出力する。散水装置１２Ｉは、その熱感知信号を受信して水を噴射することで、浴室換気乾燥暖房機１Ｉの温度を下げる。この結果、本体部２自体に延焼してしまうことを回避することができる。
【０１０３】
＜第１０の実施の形態＞  
本実施の形態では、熱感知信号を出力する熱感知手段と延焼を防止する消火ケースとを備えた浴室換気乾燥暖房機１Ｊについて説明する。前述の実施の形態と同じ名称及び符号のものは同じ機能を有するので、その説明を省略する。
【０１０４】
図１４は、第１０の実施の形態に係る浴室換気乾燥暖房機１Ｊの延焼防止効果例を示す説明図である。図１４に示すように、浴室換気乾燥暖房機１Ｊは、本体部２及び／又は本体部２周辺が所定の温度以上になると熱感知信号を出力する熱感知手段１４と、延焼を防止する消火ケース１６とを備える。
【０１０５】
消火ケース１６は、本体シャーシ２１と金属ケース３との間に設けられ、水や消火剤等を有している。浴室換気乾燥暖房機１Ｉが外部からの火によって天井パネル７から加熱されると、熱感知手段１４が熱感知信号を消火ケース１６に送信する。消火ケース１６は、熱感知手段１４から熱感知信号を受信して、消火ケース１６自体が破裂して浴室換気乾燥暖房機１Ｊ内に水や消火剤等を撒く。これにより、本体部２への延焼を防止できる。
【０１０６】
このように、第１０の実施の形態に係る浴室換気乾燥暖房機１Ｊによれば、外部から所定の温度以上の熱が当該浴室換気乾燥暖房機１Ｉに加わったときに、熱感知手段１４が外部からの熱を感知して消火ケース１２Ｊから水又は消火剤を撒く。この結果、本体部２自体に延焼してしまうことを回避することができる。
【産業上の利用可能性】
【０１０７】
本発明は、熱源を有した空調装置等の設備機器に適用可能である。
【図面の簡単な説明】
【０１０８】
【図１】第１の実施の形態に係る浴室換気乾燥暖房機１の構成例を示す断面図である。
【図２】浴室換気乾燥暖房機１の要部構成例を示す断面図である。
【図３】浴室換気乾燥暖房機１の延焼防止効果例を示す動作説明図である。
【図４】第２の実施の形態に係る浴室換気乾燥暖房機１Ａの延焼防止効果例を示す動作説明図である。
【図５】第３の実施の形態に係る浴室換気乾燥暖房機１Ｂの延焼防止効果例を示す動作説明図である。
【図６】浴室換気乾燥暖房機１Ｃの延焼防止効果例を示す動作説明図である。
【図７】第４の実施の形態に係る浴室換気乾燥暖房機１Ｄの延焼防止効果例を示す動作説明図である。
【図８】第５の実施の形態に係る浴室換気乾燥暖房機１Ｅの延焼防止効果例を示す動作説明図である。
【図９】第６の実施の形態に係る浴室換気乾燥暖房機１Ｆの延焼防止効果例を示す動作説明図である。
【図１０】第７の実施の形態に係る浴室換気乾燥暖房機１Ｇの延焼防止効果例を示す動作説明図である。
【図１１】第８の実施の形態に係る浴室換気乾燥暖房機１Ｈの構成例を示す断面図である。
【図１２】浴室換気乾燥暖房機１Ｈの延焼防止効果例を示す動作説明図である。
【図１３】第９の実施の形態に係る浴室換気乾燥暖房機１Ｉの延焼防止効果例を示す説明図である。
【図１４】第１０の実施の形態に係る浴室換気乾燥暖房機１Ｊの延焼防止効果例を示す説明図である。
【符号の説明】
【０１０９】
１，１Ａ，１Ｂ，１Ｃ，１Ｄ，１Ｅ，１Ｆ，１Ｇ，１Ｈ，１Ｉ，１Ｊ・・・浴室換気乾燥暖房機、２・・・本体部、３・・・金属ケース、３ａ・・・第１の金属ケース、３ｂ・・・第２の金属ケース、４・・・ダクトジョイント、５・・・フロントパネル、７・・・天井パネル、８，８ａ，８ｂ・・・ネジ、９・・・開口部、１０・・・取付金具、１１・・・アルミテープ、１２・・・締結ナット、１２Ａ・・・形状記憶材料、１２Ｂ，１２Ｃ・・・形状記憶材料のワッシャ、１２Ｄ，１２Ｆ・・・低融点金属材料、１２Ｅ・・・固定部材、１２Ｇ・・・ソレノイド、１２Ｈ・・・電熱線、１３・・・アンカーボルト、１３ａ・・・第１のアンカーボルト、１３ｂ・・第２のアンカーボルト、１４・・・熱感知手段、１５・・・散水手段、１６・・・消火ケース、１７・・・電熱線駆動回路、１８・・・リベット、１９・・・金属カラー、２１・・・本体シャーシ
【図１】
2010145039.tif 000003
【図２】
2010145039.tif 000004
【図３】
2010145039.tif 000005
【図４】
2010145039.tif 000006
【図５】
2010145039.tif 000007
【図６】
2010145039.tif 000008
【図７】
2010145039.tif 000009
【図８】
2010145039.tif 000010
【図９】
2010145039.tif 000011
【図１０】
2010145039.tif 000012
【図１１】
2010145039.tif 000013
【図１２】
2010145039.tif 000014
【図１３】
2010145039.tif 000015
【図１４】
2010145039.tif 000016